(57)【要約】【課題】第１に、信頼性及び保守性を向上させたネットワークストレージコントローラ、第２に、限定された空間内で多数のケーブルを信頼性高く配線すると共に、機能部品の交換作業を容易に行うことができるネットワークストレージコントローラ、第３に、効果よく冷却を行い得るネットワークストレージコントローラを提案する。【解決手段】一側面にケーブルを接続するための端子が設けられると共に、自機内部の熱を前記一側面側に排熱するファンが設けられた機器を収納するネットワークストレージコントローラにおいて、前記機器のファンによる排熱方向及び前記機器の前記端子に接続されて垂下する前記ケーブルの垂下方向のそれぞれと垂直な方向の少なくとも一方側に配設され、前記ケーブルを保持するクランプ機構部を備えることにした。【選択図】図４
2007323187.tif 000002
【特許請求の範囲】
【請求項１】
一側面にケーブルを接続するための端子が設けられると共に、自機内部の熱を前記一側面側に排熱するファンが設けられた機器を収納するネットワークストレージコントローラにおいて、
前記機器のファンによる排熱方向及び前記機器の前記端子に接続されて垂下する前記ケーブルの垂下方向のそれぞれと垂直な方向の少なくとも一方側に配設され、前記ケーブルを保持するクランプ機構部
を備えることを特徴とするネットワークストレージコントローラ。
【請求項２】
前記クランプ機構部は、
少なくとも２つ以上の前記クランプ機構部を備え、
前記機器を収納する筐体に交互に配設する
ことを特徴とする請求項１に記載のネットワークストレージコントローラ。
【請求項３】
前記クランプ機構部は、
前記ケーブルを保持するコア部を備え、
前記コア部は、
前記ケーブルを案内するガイド溝を有し、
前記ケーブルの巻回位置を調整するように可動自在である
ことを特徴とする請求項１に記載のネットワークストレージコントローラ。
【請求項４】
前記クランプ機構部は、
複数の前記ガイド溝を備え、
前記複数のガイド溝は、
前記コア部の正面から背面に向けて階段状に形成する
ことを特徴とする請求項３に記載のネットワークストレージコントローラ。
【請求項５】
前記コア部は、
前記ケーブルを前記クランプ機構部まで案内する可動自在なガイドアームを備え、
前記ガイドアームは
前記ケーブルが逸脱しない湾曲を形成した溝を備え、
前記コア部と着脱自在に形成する
ことを特徴とする請求項３に記載のネットワークストレージコントローラ。
【発明の詳細な説明】
【技術分野】
【０００１】
本発明は、ネットワークストレージコントローラに関し、例えば、ケーブルを介して論理基板等を上位装置に接続するネットワークストレージコントローラに適用して好適なものである。
【背景技術】
【０００２】
近年、企業等が管理運用するデータ量は、年々増加している。このデータ量の増加に伴って、ネットワークストレージコントローラの容量の増加、信頼性の向上、小型化及び低廉化が望まれている。このような要望に応えるべく、上位装置に接続するためのインターフェース数を増加することが提案されている。
【０００３】
ここで、ネットワークストレージコントローラには、複数のディスクドライブが収納されたディスクドライブモジュールと、上位装置及びディスクドライブ間のデータの入出力制御を行うための複数枚の論理基板が収納された論理モジュールとが納められている。
【０００４】
また、ネットワークストレージコントローラには、ディスクドライブモジュールや論理モジュール等において発生する熱を外部に排出してネットワークストレージコントローラ内部を冷却するための冷却構造が設けられている。
【０００５】
しかし、インターフェース数の増加に伴うケーブル本数の増加により、ケーブルの接続作業や保守管理作業等が煩雑化して、ネットワークストレージコントローラ内部の冷却が妨げられる場合がある。
【０００６】
ケーブルの接続作業や保守管理作業等を簡単化するためのケーブル接続用クランプ機構部材として、特許文献１や特許文献２の技術が開示されている。これら技術によれば、ケーブルの曲げ幅を考慮して、ケーブルの断線を防止できる配線方法を採用している。
【特許文献１】特開平３−２９６２９８号公報
【特許文献２】特開平７−９８４１７号公報
【発明の開示】
【発明が解決しようとする課題】
【０００７】
ディスクコントローラ、ファイバチャネルスイッチ、Network Attached Storage（以下、ＮＡＳという）等の性能向上によりシステムのポート数が増加されると、多数のファイバチャネルケーブル（以下、ケーブルという）の接続作業や保守管理作業等が煩雑化する。またラックフレーム内ではケーブルが収納可能な空間も制約を受けている。さらに、ユーザ側で旧型ストレージ装置等など置き換える場合は、既存のケーブルを再利用することが多い。このとき、ユーザは、既存のケーブル群に対して無理に引っ張り位置合わせを試み、新しいポート群に接続しようとする。しかし、一定の曲げ幅及び規定以上上の無理な力をケーブルに加えると、ケーブルが断線等して破損するおそれがある。また、ケーブルのみの故障にとどまらず、ケーブルに加えられた過大な力によってポートそのものが破損するおそれがある。ポートが破損した場合は、この破損したポートを有する基板全体を交換しなければならず、保守コストが増大する。
【０００８】
一方、ディスクコントローラ、ファイバチャネルスイッチ、ＮＡＳ等は、チャネルアダプタ基板、ディスクアダプタ基板、ディスクドライブ、メモリ基板、電源ユニット、バッテリ等の種々交換可能な機能部品を多数実装した大規模なシステム製品である。
【０００９】
従って、ケーブルを収納することによってポートの破損を防止する以外にも、ケーブルが接続されていない他の機能部品の保守作業容易性も考慮する必要がある。このように多種類の機能部品を多数備えたネットワークストレージコントローラ全体の多数ケーブルを配線し管理するのは容易なことではない。また、複数のケーブルが接続されることによりネットワークストレージコントローラ内部にケーブルが密集し、風の流れが遮られ、冷却が妨げられるという問題が生じる。
【００１０】
本発明は以上の点を考慮してなされたもので、本発明の第１の目的は、信頼性及び保守性を向上させたネットワークストレージコントローラを提供することにある。第２の目的は、限定された空間内で多数のケーブルを信頼性高く配線すると共に、機能部品の交換作業を容易に行うことができるネットワークストレージコントローラを提供することにある。第３の目的は、効果よく冷却を行い得るネットワークストレージコントローラを提供することにある。
【課題を解決するための手段】
【００１１】
かかる課題を解決するため本発明においては、一側面にケーブルを接続するための端子が設けられると共に、自機内部の熱を前記一側面側に排熱するファンが設けられた機器を収納するネットワークストレージコントローラにおいて、前記機器のファンによる排熱方向及び前記機器の前記端子に接続されて垂下する前記ケーブルの垂下方向のそれぞれと垂直な方向の少なくとも一方側に配設され、前記ケーブルを保持するクランプ機構部を備えることを特徴とする。
【００１２】
この結果、筐体の側面にクランプ機構部が装着されることで、各論理モジュール単位で各ケーブルを保持することができる。また、ケーブルをクランプ機構部によって保持することにより、引っ張り力等のケーブルに加わる力が、論理モジュールとケーブルとの接続箇所に及ぶのを低減することができる。さらに、各論理基板に接続されるケーブル群を各々のケーブル束にまとめて保持されるため、ケーブル群を容易に認別することができる。そして、ディスクコントローラ、ファイバチャネルスイッチ、ＮＡＳ等の熱を排熱するファンが設けられた機器を収納するネットワークストレージコントローラでは、ケーブルを排熱方向及び垂下方向のそれぞれと垂直な方向の、所望の位置に保持でき、かつ、ファンから排出する風路を妨げずに複数のケーブルを同時に保持することができる。
【発明の効果】
【００１３】
本発明によれば、ネットワークストレージコントローラは、ケーブルを排熱方向及び垂下方向のそれぞれと垂直な方向の、所望の位置に保持できるため、信頼性及び保守性を向上することができる。
【００１４】
また本発明によれば、ネットワークストレージコントローラは、限定された空間内で多数のケーブルを信頼性高く配線すると共に、機能部品の交換作業を容易に行うことができる。
【００１５】
さらに本発明によれば、ネットワークストレージコントローラは、効果よく冷却を行い得ることができる。
【発明を実施するための最良の形態】
【００１６】
以下図面について、本発明の一実施の形態を詳述する。
【００１７】
（１）概観構成
図１は、ネットワークストレージコントローラ１の全体概観構成を示す。本実施の形態によるネットワークストレージコントローラ１は、主に、スイッチ部１０、記憶部１１、コントロール部１３から構成されている。これらの各部は、ネットワークストレージコントローラ１の主要骨格を成す筐体１５に搭載されている。筐体１５の内側側面１５０には、長手方向に複数段にわたってレール１６が形成され、このレール１６に沿って各部が引き出し式に装着される。そして、筐体１５の上段にはスイッチ部１０が搭載され、中段には記憶部１１が搭載され、下段にはコントロール部１３が搭載される。
【００１８】
スイッチ部１０は、上位装置であるホスト装置２４と接続するためのスイッチから構成されている。本実施の形態において、スイッチ部１０は、複数の機器から構成され、ホスト装置２４とネットワークを介して接続するための８個のファイバチャネルスイッチ１００から構成される。そして、ファイバチャネルスイッチ１００の一側面には、複数の端子である、複数の光モジュールコネクタ１０１が設けられている。これらコネクタ１０１にはケーブル１０２が筐体１５の下方に向かって垂れ下がる状態（垂下方向）で接続される。
【００１９】
記憶部１１は、ホスト装置２４との間で入出力されるデータを格納するキャニスタ（図示せず）を複数搭載するための４つのストレージ１１０から構成されている。そして各ストレージ１１０の背面１１１には、ファン部１２が搭載されている。
【００２０】
ファン部１２は、ストレージ１１０の内部を強制空冷するための複数のファン１２０から構成される。図２に示すように、ファン部１２は、キャニスタから発生する熱を、記憶部１１の正面から記憶部１１間の僅かな隙間及び側面を通じて記憶部１１の上方へ流し、外部に排出する。なお、本実施の形態によれば、ネットワークストレージコントローラ１の正面から記憶部１１間の僅かな隙間及び側面を通じて背面に向けて流れる風の方向を排熱方向としている。
【００２１】
コントロール部１３は、ネットワークストレージコントローラ１の制御を行うための複数の論理基板が収容された論理モジュール１３０と、ネットワークストレージコントローラ１の保守又は管理のために操作されるサービスプロセッサ２２とから構成される。そして、論理モジュール１３０の背面１３１には、ファン部１４が搭載されている。
【００２２】
ファン部１４は、記憶部１１の背面１１１に搭載されるファン部１２と同様に、論理モジュール１３０の内部を強制空冷するための複数のファン１４０から構成されている。そして、図２に示すように、ファン部１４は、論理モジュール１３０内に発生する熱を、論理モジュール１３０の正面から論理モジュール１３０間の僅かな隙間及び側面を通じて論理モジュール１３０の流し、外部に排出する。なお、本実施の形態によれば、ネットワークストレージコントローラ１の正面から論理モジュール間の僅かな隙間及び側面を通じて背面に向けて流れる風の方向を排熱方向としている。
【００２３】
このように記憶部１１及び論理モジュール１３０に設けられたファン部１２，１４により、ネットワークストレージコントローラ１には風路が設けられ、ネットワークストレージコントローラ１の内部を空冷することができる。
【００２４】
（２）ネットワークストレージコントローラの内部構成
図３は、ネットワークストレージコントローラ１の内部構成を示す。ネットワークストレージコントローラ１は、複数のチャネルアダプタ１７、接続部１８、共有メモリ１９、キャッシュメモリ２０、複数のディスクアダプタ２１、サービスプロセッサ２２及びディスクドライブ２３を備える。
【００２５】
各チャネルアダプタ１７は、それぞれマイクロプロセッサ、メモリ及び通信インターフェース等を備えたマイクロコンピュータシステムとして構成されており、それぞれネットワーク等に接続するためのポート（図示せず）を備える。チャネルアダプタ１７は、ホスト装置から例えばネットワークを介して送信される各種コマンドを解釈して実行される。各チャネルアダプタ１７のポートには、それぞれを識別するためのネットワークアドレス（例えば、ＩＰアドレスやＷＷＮ）が割り当てられており、これにより各チャネルアダプタ１７がそれぞれ個別にＮＡＳとして振る舞うことができるようになっている。
【００２６】
接続部１８は、チャネルアダプタ１７、共有メモリ１９、キャッシュメモリ２０及びディスクアダプタ２１と接続されている。チャネルアダプタ１７、共有メモリ１９、キャッシュメモリ２０及びディスクアダプタ２１間でのデータやコマンドの授受は、この接続部１８を介して行われる。接続部１８は、例えば高速スイッチングによりデータ伝送を行う超高速クロスバススイッチなどのスイッチ又はバス等で構成される。
【００２７】
共有メモリ１９及びキャッシュメモリ２０は、チャネルアダプタ１７及びディスクアダプタ２１により共有される記憶メモリである。共有メモリ１９は、主に制御情報やコマンド等を記憶するために利用され、キャッシュメモリ２０は、主にネットワークストレージコントローラ１に入出力するデータを一時的に記憶するために利用される。
【００２８】
各ディスクアダプタ２１は、マイクロプロセッサやメモリ等を備えたマイクロコンピュータシステムとして構成され、各ディスクデバイス２１との通信時におけるプロトコル制御を行うインターフェースとして機能する。これらディスクアダプタ２１は、例えばケーブル１０２を介して対応するディスクドライブ２３と接続されており、ファイバチャネルプロトコルに従ってこれらディスクドライブ２３との間のデータの授受を行う。
【００２９】
サービスプロセッサ２２は、ネットワークストレージコントローラ１全体の動作を制御するものである。サービスプロセッサ２２は、ネットワークを介して各チャネルアダプタ１７とそれぞれ接続され、ネットワークを介して各ディスクアダプタ２１とそれぞれ接続されている。サービスプロセッサ２２は、ネットワークストレージコントローラ１内の障害の有無を監視し、障害が発生したときにこれを外部の管理端末２５に通知させて表示させ、オペレータ操作に応じて管理端末から与えられる指令に基づいてディスクドライブ２３の閉塞を指示する等の処理を行う。
【００３０】
ディスクドライブ２３は、例えば、ハードディスク装置や半導体メモリ等から構成される。そして例えば、４個等の所定数のディスクドライブ２３によって１つのＲＥＩＤ（Redundant Arrays of Inexpensive Disks）グループが構成される。このＲＥＩＤグループが提供する物理的な記憶領域上に、論理的な記憶領域である論理ボリュームＶＯＬを設定することができる。
【００３１】
（３）本実施の形態のネットワークストレージコントローラにおけるクランプ機構部
次に、ネットワークストレージコントローラ１に配設され、ケーブル１０２を保持するためのクランプ機構部の構成について説明する。
【００３２】
このネットワークストレージコントローラ１は、図１及び図２に示すように、排熱方向及び垂下方向とそれぞれ垂直な方向の少なくとも一方側に配設され、筐体１５の下段に配設された第１のクランプ機構部３（以下、第１クランプ機構部という）又は筐体１５の上段に配設された第２のクランプ機構部７（以下、第２クランプ機構部という）を着脱自在に有することを特徴としている。
【００３３】
（３−１）第１クランプ機構部の構成
第１クランプ機構部３は、図４に示すように、ネットワークストレージコントローラ１の筐体１５背面の両内側側面１５０に交互に配設される。そして第１クランプ機構部３は、ケーブル１０２を巻回して保持するための第１のコア部４（以下、第１コア部という）と、第１コア部４を保持するためのプレートキット５と、筐体１５背面の両内側側面１５０に設置するためのＬ字板６と、を備える概略構成である。
【００３４】
まず、第１コア部４について説明する。
【００３５】
第１コア部４は、図４から図６に示すように、ケーブル１０２を巻回して直接保持するための第１のコア４０（以下、第１コアという）と、第１コア４０と嵌合するための第１の歯車部材４１（以下、第１歯車部材）と、を備える構成を有する。
【００３６】
第１コア４０は、ケーブル１０２が巻回可能な部材であり、例えば、半円形状の如く外周４００に湾曲部を有する部材である。そして第１コア４０は、第１歯車部材４１と嵌合するための挿通孔４０１と、ケーブル１０２の巻回を案内する第１のガイド溝４０２（以下、第１ガイド溝という）と、を備える構成を有する。
【００３７】
挿通孔４０１は、円形状の孔であり、第１コア４０の正面から背面に向けて中心下方に凹設されている。
【００３８】
第１ガイド溝４０２は、第１コア４０の外周に沿って形成された溝であり、ケーブル１０２が少なくとも１本以上直接に保持できる溝幅Ｗ１を有する。この第１ガイド溝４０２は、例えば、第１コア４０の外周４００に沿って４本の溝を形成する。
【００３９】
第１歯車部材４１は、上述した挿通孔４０１と雄雌嵌合する突起４１０と、この突起４１０を中心に形成され、その外周を円形の鋸状に形成された歯車４１１と、を備える構成である。
【００４０】
突起４１０は、外郭４１００が円形状で内郭４１０１が六角形状を有し、凸設されている。この突起４１０が挿通孔４０１と雄雌嵌合する。
【００４１】
そして歯車４１１は、第１コア４０の位置をケーブル１０２の保持位置に合わせて移動するための部材である。突起４１０の内郭４１０１に形成した挿入孔に回転部材（図示せず）を挿入すると、この歯車４１１の外周に形成された鋸部４１１０がプレートキット５に対して上下に回転するため、第１コア４０の挿通孔４０１を介して、第１コア４０が上下に移動できる構成になっている。
【００４２】
次に、プレートキット５について説明する。
【００４３】
プレートキット５は、図４及び図６に示すように、第１コア部４を直接に保持するための第１の保持部材（５０以下、第１保持部材という）及び第２の保持部材５１（以下、第２保持部材）と、上述した歯車４１１の鋸部４１１０と雄雌係止するための鋸部材５２と、この鋸部材５２を保持固定するための上側の薄板５３（以下、上薄板という）及び下側の薄板５４（以下、下薄板という）と、を備える構成である。
【００４４】
第１保持部材５０は、図５及び図６に示すように、その断面を鉤状に形成された部材である。そして第１保持部材５０のうち、鉤状に形成された部材の内側に形成される空間Ｓは、上述した歯車４１１の鋸部４１１０が嵌め込まれる厚みＴ２を有しつつ、嵌め込まれた歯車４１１の鋸部４１１０が第１保持部材５０に引っ掛かることで歯車４１１が脱落しないようになっている。また、この空間Ｓは、上薄板５３と下薄板５４も挿入できる厚みＴ２になっている。また第１保持部材５０は、Ｌ字板６に装着するためのＬ字板用挿通孔５００と、上薄板５３と下薄板５４と装着するための薄板用挿通孔５０１が設けられている。
【００４５】
第２保持部材５１は、図５及び図６に示すように、その断面に上述した歯車の鋸部が嵌め込まれる厚み分を差異とする段差Ｄ１が形成された部材である。そして、この段差Ｄ１は、上薄板５３及び下薄板５４も挿入できる段差Ｄ１になっている。第２保持部材５１の段差Ｄ１は、第１歯車部材４１の厚みＴ１と略等しく、また第１保持部材５０で形成される空間Ｓの厚みＴ２と等しく形成される。さらに、第２保持部材５１は、Ｌ字板６及び第１保持部材５０に装着するためのＬ字板用挿通孔５１０と、上薄板５３と下薄板５４と装着するための薄板用挿通孔５１１とが設けられている。
【００４６】
鋸部材５２は、第１保持部材５０と第２保持部材５１との間に嵌め込まれる部材である。そして、鋸部材５２が第２保持部材５１の段差Ｄ１に嵌め込まれると、鋸部材５２の鋸刃５２０が上述した歯車４１１の鉤部４１１０と嵌合して、歯車４１１を回転させることができる。
【００４７】
上薄板５３及び下薄板５４は、第１保持部材５０及び第２保持部材５１と装着し、鋸部材５２を保持固定するための挿通孔５３０、５４０を有する。
【００４８】
次に、Ｌ字板６について説明する。
【００４９】
Ｌ字板６は、第１コア部４及びプレートキット５を固定して筐体１５に設置するための板であり、図４及び図６に示すように、第１のＬ字片６０（以下、第１Ｌ字片という）と第２のＬ字片６１（以下、第２Ｌ字片という）と、を備える構成を有する。
【００５０】
第１Ｌ字片６０は、第１コア部４及びプレートキット５を固定するための挿入孔６００を有する片である。
【００５１】
第２Ｌ字片６１は、筐体１５背面の両内側側面１５０に設けられた柱に装着するための挿入孔６１０を有する片である。そして第２Ｌ字片６１は、長手方向に長さＬ１を変えて形成することで、第１クランプ機構部３が筐体１５内に配設する位置を変えることができるため、図１に示すような交互配設をすることができる。
【００５２】
このように上下移動を可能とする第１クランプ機構部３により、筐体１５内でケーブル１０２の曲げ半径を一定に保持し、複数のケーブル１０２を絡ませることなく、排熱方向及び垂下方向のそれぞれと垂直方向に保持すること考慮した、所望の位置に配設することができる。
【００５３】
また、少なくとも２本以上のケーブル１０２を保持する幅Ｗ１を有した複数の溝４０２を形成し、交互配設を可能とする第１クランプ機構部３により、風路を妨げずに複数のケーブル１０２を同時に保持することができるため、効率的に論理基板等を冷却することができる。
【００５４】
（３−２）第１クランプ機構部の取り付け方法
次に、上述のように構成される第１クランプ機構部３が筐体１５に配設するための取り付け方法を説明する。
【００５５】
まず、ケーブル１０２を排熱方向及び垂下方向のそれぞれと垂直方向に保持する所望の位置が決定すると、当該所望の位置にＬ字板６を設置するために第２Ｌ字片６１の挿通孔６１０を介して筐体１５背面の両内側側面１５０に設けられる柱にネジ６５で螺合する。
【００５６】
Ｌ字板６が筐体１５背面の両内側側面１５０に設置されると、第１保持部材５０のＬ字用挿通孔５００が設けられた側に、Ｌ字用挿通孔５００と重ならないように鋸部材５２を挿入する。
【００５７】
そしてその後、第１保持部材５０のＬ字用挿通孔５００の上に第２保持部材５１のＬ字用挿通孔５１０を重ね合わせ、さらには第１Ｌ字片６０の挿通孔６００とも重ね合わせた後に、全ての部材をネジ６４で螺合する。
【００５８】
第１歯車部材４１が、第１保持部材５０と第２保持部材５１とを重ね合わせたことで形成される厚みＴ１並びに段差Ｄ１から生じる隙間に挿入すると、歯車４１１の鋸部４１１０がプレートキット５と引っ掛かり鋸部材５２の鋸刃４２０と嵌合する。
【００５９】
そして鋸部材５２がプレートキット５から逸脱しないように、上薄板５３を上方から隙間に挿入するとともに、下薄板５４を下方から隙間に挿入する。
【００６０】
そうして、第１保持部材５０の上方及び下方に設けられた挿入孔５０１と、上薄板５３及び下薄板５４に設けられた挿入孔５３０、５４０とが重なるとネジ６３で螺合する。
【００６１】
最後に、第１歯車部材４１の突起４１０を第１コア４０の挿入孔４０１に挿入させて嵌合すると、第１クランプ機構部３が筐体１５に取り付けられることとなる。
【００６２】
（３−３）第１クランプ機構部の上下移動
このように取り付けられた第１クランプ機構部３は、第１コア４０の挿入孔４０１から回転部材を挿入し、回転部材を時計回りに回転させると、第１歯車部材４１の歯車４１１が時計回りに回転して嵌合している鋸部材５２の鋸刃５２０上をプレートキット５に対して上方に移動する。このため、第１コア４０がプレートキット５に対して上方へ移動できる構成になっている。
【００６３】
逆に、第１クランプ機構部３は、第１コア４０の挿入孔４０１から回転部材を反時計回りに回転させると、嵌合している第１歯車部材４１の歯車４１１も反時計回りに回転しながら鋸部材５２の鋸刃５２０上をプレートキット５に対して、下方へ移動することになる。このため、第１クランプ機構部３が可動自在に下方へ移動することができる。このように、第１クランプ機構部３は上下に移動できるため、ケーブル余長の範囲でケーブルを移動させることができ、論理基板や他の機能部品の保守作業を容易に行うことができる。
【００６４】
（３−４）第２クランプ機構部の構成
第２クランプ機構部７は、ネットワークストレージコントローラ１の筐体１５背面の両内側側面１５０に交互に配置される。そして第２クランプ機構部７は、ケーブル１０２を巻回して保持するための第２のコア部８（以下、第２コア部という）と、第２コア部８を保持するためのプレートキット５と、筐体１５背面の両内側側面１５０に設置するためのＬ字板６と、を備えている。加えて、第２クランプ機構部７は、ケーブル１０２を第２クランプ機構部７まで案内するガイドアーム９を備える概略構成である。
【００６５】
まず、第２コア部について説明する。
【００６６】
図７及び図８に示すように、第２コア部８は、ケーブル１０２を巻回して直接に保持するための第２のコア８０（以下、第２コアという）と、第２コア８０と嵌合するための第２の歯車部材８１（以下、第２歯車部材）と、を備える構成である。
【００６７】
第２コア８０は、ケーブルが巻回可能な部材であり、例えば、円錐形状の如く外周８００に湾曲部を有する部材である。そして第２コア８０は、第２歯車部材８１と嵌合するための挿通孔８０１と、ケーブル１０２の巻回を案内する第２のガイド溝８０２（以下、第２ガイド溝という）と、ガイドアーム９を着脱自在に取り付けるためのアーム用挿通孔８０３と、を備える構成である。
【００６８】
第２ガイド溝８０２は、第２コア８０の外周８００に沿って形成する溝であり、円錐形状の外周８００側面に沿って形成している。結果として第２ガイド溝８０２は、第２コア８０の前面から背面に向かって階段状の溝が形成することになる。そして第２ガイド溝８０２は、ケーブル１０２が少なくとも２本以上直接に保持できる溝幅Ｗ２を有する。この第２ガイド溝８０２は、図８に示すように、例えば、第２コア８０の外周８００に沿って４本の溝を段々に形成する。
【００６９】
アーム用挿通孔８０３は、第２ガイド溝８０２により凹設された外周を除いた第２コア８０の外周８００に沿って形成される挿通孔である。アーム用挿通孔８０３は、例えば、第２コア８０に設けられた挿通孔８０１を中心として４５度の一定間隔で外周８００に形成する。第２コア８０が挿入孔８０１を軸として回転するため、外周８００に４５度間隔で形成された複数のアーム用挿通孔８０３を自在に選択することができる。
【００７０】
なお、第２コア８０に設けられた挿通孔８０１及び第２歯車部材８１は、第１コア４０に設けられた挿通孔４０１及び第１歯車部材４１と同じ構成のため、説明を省略する。
【００７１】
第２クランプ機構部７のプレートキット５及びＬ字板６もまた、第１クランプ機構部３のプレートキット５及びＬ字板６と同じ構成のため、説明を省略する。
【００７２】
次に、ガイドアーム９について説明する。
【００７３】
図９に示すように、ガイドアーム９は、ケーブル１０２が逸脱しない緩やかな湾曲溝９０を、長手方向Ｌ２に形成したアームである。ガイドアーム９は、湾曲溝９０にケーブル１０２を嵌め込んで保持することができる。
【００７４】
またガイドアーム９は、少なくとも２以上のブロック片９１から構成されている。そして、１つのブロック片９１の一端は凸設９１０され、もう一端は凹設９１１されている。ある１つのブロック片９１の凹設９１１と、他のブロック片９１の凸設９１０とを嵌め込むことで、ガイドアーム９を形成する。なお、このガイドアーム９は、例えば樹脂から構成される。
【００７５】
ガイドアーム９の、ケーブル１０２の始端を保持する湾曲部分は、湾曲形状を有したブロック片９２で構成されている。これによりケーブル１０２は、一定の曲げを保持することが可能である。
【００７６】
そしてガイドアーム９の一端には、ガイドアーム９の挿入孔９４が設けられている。
【００７７】
ガイドアーム９の挿入孔９４は、アーム用挿入孔８０３と略一致する孔である。ネジ９３は、ガイドアーム９の挿入孔９４を介してアーム用挿入孔８０３と螺合するため、ガイドアーム９が第２コア８０に装着する。
【００７８】
（３−５）第２クランプ機構部の取り付け方法
第２クランプ機構部７の取り付け方法としては、第１クランプ機構部３の取り付け方法と同様の取り付けをした後、ガイドアーム９の挿入孔９４とアーム用挿入孔８０３を一致させてネジ９３で螺合をする。そうして第２クランプ機構部７が筐体１５内に取り付けられることとなる。
【００７９】
（３−６）第２クランプ機構部の上下移動
第２クランプ機構部７の上下移動は、第１クランプ機構部３の上下移動と同様なので、説明は省略する。このように第１クランプ機構部と同様に、第２クランプ機構部７は上下移動できるため、ケーブル余長の範囲でケーブルを移動させることができ、論理基板や他の機能部品の保守作業を容易に行うことができる。
【００８０】
そして第２クランプ機構部７は、第２コア８０の外周８００に複数かつ段形状に形成する第２ガイド溝８０２を設けたことにより、風路を妨げずに複数のケーブル１０２を同時に保持することができる。
【００８１】
また第２クランプ機構部７は、４５度の一定間隔で外周８００にアーム挿入孔８０３を設けているので、複数のガイドアーム９を着脱自在に装着することができる。
【００８２】
また、ガイドアーム９は、緩やかな湾曲溝９０を形成したことにより、湾曲部分がケーブル１０２と摩擦を生じるため、ケーブル１０２を確実に保持することを可能にしている。
【００８３】
さらに、ガイドアーム９は、ガイドアーム９の挿入孔９４を設けたことにより、第２コア８０に取り付けられた場合には、ガイドアーム９が少なくとも水平方向に対して９０度以上の可動を自在にすることができる。
【００８４】
（４）本実施の形態によるクランプ機構部の効果
本実施の形態によれば、複数のケーブル１０２を絡ませることなく、排熱方向及び垂下方向のそれぞれと垂直方向に保持すること考慮して、第１クランプ機構部３及び第２クランプ機構部７が所望の位置に配設できるため、ケーブルの接続作業や保守管理作業等が簡単化することができる。
【００８５】
また本実施の形態によれば、ファン部１２、１４により設けられる風路を妨げずに複数のケーブル１０２を同時に保持することができるため、効率的に論理基板等を冷却することができる。
【００８６】
（５）他の実施の形態
上述の実施の形態においては、第１クランプ機構部３及び第２クランプ機構部７は１対として筐体１２背面の両内側側面１５０に設けられているが、これに限られず、１つの第１クランプ機構部３又は第２クランプ機構部７をＬ字板６に設置して柱に設けてもよいし、複数の第１クランプ機構部３又は第２クランプ機構部７をＬ字板６に設置して両内側側面１５０に設けてもよい。
【００８７】
また、上述の実施の形態においては、第１クランプ機構部３及び第２クランプ機構部７は、筐体１５背面に設置しているが、ケーブル１０２を保持できる場所に設置すればよく、上述した実施の形態に限られない。
【産業上の利用可能性】
【００８８】
本発明は、１又は複数のネットワークストレージコントローラや、１又は複数のネットワークストレージコントローラを有する記憶システムに広く適用することができる。
【図面の簡単な説明】
【００８９】
【図１】本発明の実施の形態におけるネットワークストレージコントローラの全体概略構成図である。
【図２】本発明の実施の形態におけるネットワークストレージコントローラを側面から見た概略構成図である。
【図３】本発明の実施の形態におけるネットワークストレージコントローラを示すブロック図である。
【図４】本発明の実施の形態における第１クランプ機構部の拡大斜視図である。
【図５】図４の第１クランプ機構部のＡ−Ａ断面図である。
【図６】本発明の実施の形態における第１クランプ機構部の分解斜視図である。
【図７】本発明の実施の形態における第２クランプ機構部の拡大斜視図である。
【図８】図７の第２クランプ機構部のＢ−Ｂ断面図である。
【図９】本発明の実施の形態におけるガイドアームの拡大斜視図である。
【符号の説明】
【００９０】
１……ネットワークストレージコントローラ、３……第１クランプ機構部、４……第１コア部、５……プレートキット、６……Ｌ字板、７……第２クランプ機構部、８……第２コア部、９……ガイドアーム。
【図１】
2007323187.tif 000003
【図２】
2007323187.tif 000004
【図３】
2007323187.tif 000005
【図４】
2007323187.tif 000006
【図５】
2007323187.tif 000007
【図６】
2007323187.tif 000008
【図７】
2007323187.tif 000009
【図８】
2007323187.tif 000010
【図９】
2007323187.tif 000011